(57)【要約】【課題】  水位の手動による任意の調整ができ、堰周辺からの水漏れが無く、かつ、操作が容易で、寿命が十分長い水田用堰を安価に提供する。【解決手段】  既設用水路から導管１及び先端が閉塞し１個の軸方向長孔状開口部２Ｃを有する直管２を通して水田に給排水し、直管２を自在に回転させることによって任意の水位調整ができるようにする。また、直管２のフランジ部を導管１のフランジ部とソケット３とで挟んでねじ力で固定できるようにする。更に、この装置を既設用水路の開口部に恒久固定するためのコンクリート壁７を打設する際に必要となる型枠の敷設が容易となるよう、導管フランジ部１Ａの近傍に矩形板４を付帯させる。【選択図】  図３
2009131249.tif 000002
【特許請求の範囲】
【請求項１】
イ）既設用水路から水田または別の用水路へ通ずる導管１を設け、その口径は調整したい水位の上下差以上とし、その一端に導管フランジ部１Ａを設け、別体で軸方向長孔状の１個の開口部２Ｃを有し、先端側が閉塞部２Ｂにより閉塞した直管２を設け、更にその外径を超える内径のソケット３を設け、導管フランジ部１Ａとソケット３とに相陥合するねじ機構を設ける。
（ロ）直管２の後端側にソケット３の内径を超える外径の直管フランジ部２Ａを設け、それをソケット３と導管フランジ部１Ａとで挟んでねじ力で締結または弛緩することにより、直管２を角度自在に導管１へ着脱できるようにする。
（ハ）導管フランジ部１Ａの後方直近に、導管１と一体または取付け可能な別体で、矩形板４を設ける。
（ニ）既設用水路壁６の水田への開口部、または既設用水路内に、調整最高水位以上の高さのコンクリート壁５を打設し、導管フランジ部１Ａを水田側に向けて突き出した状態で、コンクリート壁５内部に導管１の矩形版４より後端側部分を埋め込み恒久固定する。
以上の構成を特徴とし、手動で直管２の開口部２Ｃの角度を変えると共に、それをソケット３で固定することにより、自在に水位を調整可能とする水田用堰。
【発明の詳細な説明】
【技術分野】
【０００１】
本発明は、共用用水路に流れる水流を一時的に塞き止めてその水流を目的の水田に導いたり、過大の水量を水田より排水するに当たり、その水位を自在に調整でき、かつ、その周辺からの水漏れが無い、簡素な構造で長寿命の水田用堰に関するものである。
【背景技術】
【０００２】
水田に水を供給するため、国内各地域毎に共同管理された用水路が設置されているが、ここから自らの水田に給水するためには、従来一般的には、図１に示すように先ず共用用水路内に堰板Ａを立て、次に水田入口である用水路開口部に堰板Ａより低い高さの堰板Ｂを立てることにより、堰板Ａで水流の一部を一時的に止めて水路内に貯水し、それを水田へ流すという方法が用いられている。たまたま水田が共用用水路から他の水田を挟んで離れた位置にある場合には、共用用水路から私設の用水路を分岐させ、その水路の入口付近に堰板Ｃを立てるという方法も行われている。過大の水量を水田より排水したい場合には、堰板Ａを外しさえすれば、水位は堰板Ｂまたは堰板Ｃ、またはそれらよりやや低く別に設けられた排水専用の堰板の高さに自ずと調整される。そして、これら堰板には殆どの場合、木板が用いられている。
【０００３】
しかし、水田の水位を稲の生育や天候等の状況に応じ変更したい場合や、給排水の緩急を調整したい場合が往々にして生ずる。このような場合、それらを調整するには高さの異なる堰板を準備してそれと取り替えるか、または堰板を予め２段や３段構造にしておき、水位を下げたい時に上の段を取り外すなどしているが、所詮希望する微調整は難しいという不便があった。更に、木製の堰板の宿命として常に水に接しているので朽ち易く、通常使用数年で更新しなければならない。また、このような堰板では周辺からの水漏れを十分防ぐことができず、堰板周りに土やビニールシートを詰めたり、土嚢を積んで漏れ防止を図るのが通例である。やや異質の問題として、従来の堰板では水田雑草を含めた浮遊物の侵入に対し、無防備なことがある。
【０００４】
上記不便の全部または一部を解決するために、近年俄かに様々な商品が開発されるようになった。その一類として、太陽電池等を電源としてゲートまたはバルブを駆動し、水量を調整する装置が幾つか発明された。また、堰板に代えてＬ字形曲管を用い、これを上記同様に自動化した装置も発明された。しかし、このような複雑かつ高度な装置は当然のことながら高価なものとなり、一部の大規模水田や共同農場でない限り、一般の零細農家には如何に便利であっても、普及させることは経済的に極めて困難と思われる。一方、一端が閉塞された送水管に複数の調節孔を設け、これを回転することにより水量を調整する装置も発明されたが、比較的大きなスペースを要し、該送水管を支持するための側板孔からの水漏れや、支持部での摩擦抵抗により回転にかなりの力を要するという問題がある。
【特許文献１】公開特許広報  特開平９−２３３９５９
【特許文献２】公開特許広報  特開２０００−１５７０７６
【発明の開示】
【発明が解決しようとする課題】
【０００５】
解決しようとする問題点は、水田の水位を調整するために従来用いられている堰板による方法において、水位と給排水の緩急の調整が困難であること、堰板周辺からの水漏れ防止が難しいこと、堰板の寿命が使用数年と比較的短いこと、及び浮遊物の侵入に対して無防備であること、そしてこれらの問題を最少限の装置スペースで、安価に、かつ、容易な操作でできるよう、解決することである。 
【課題を解決するための手段】
【０００６】
本発明は、先端側が閉塞し、かつ、軸方向長孔状の１個の開口部を有する直管を設け、この直管を手動で自在に回転させることによって水田の任意の水位調整ができるようにしたこと、導管と直管の接続部にフランジ及びソケットを設けて、直管の手動による回転及び堅固な固定を容易としたこと、導管フランジ部の後方に矩形板を設けたこと、導管の一部はコンクリート内に埋設して恒久固定すること、を最も主要な特徴とする。
【発明の効果】
【０００７】
本発明の水田用堰は、給排水兼用として使え、次のような効果を有する。（１）直管の直径の範囲内で水田水位と給排水緩急の無段階調整が可能である。（２）必要とする設置スペースが狭く、狭隘な水路内への設置も可能とする。（３）ソケットによる直管と導管の堅固な接続により、ガスケットを用いることなく水漏れを十分防ぐことができる。（４）制御装置も無い簡素な構造であるため、低価格で装置一式を提供できる。（５）構成する材料としてコンクリート壁以外は全て合成樹脂製とすることができるため、装置寿命を極めて長いものとすることができる。（６）矩形板の効果により、コンクリート打設工事を行う際、管断面の円形状にくり抜いたコンクリート型枠を必要とせず、直線鋸だけで容易に木板製型枠を準備し施工することができる。（７）給水する時は、浮遊物が侵入し難くなるという副次的効果がある。
【発明を実施するための最良の形態】
【０００８】
以下、本発明の実施の形態を、添付図面に基づいて説明する。
【実施例】
【０００９】
図２は本発明装置の実施例を示す斜視図、図３はその装置中央に於ける断面図である。但し、図２は水田に給水している場面を示し、図３は排水している場面を示す。これら両図によって、実施例を以下に説明する。
【００１０】
先ず、既設用水路から水田または別の用水路へ通ずる導管１を設け、その口径は調整したい水位の上下差を超えるものとし、その先端側（管は用水路から水田に向かうが、本書では、水田側を「先端側」、用水路側を「後端側」と称する）に導管フランジ部１Ａを設け、別体で軸方向長孔状の１個の開口部２Ｃを有し先端側が閉塞部２Ｂにより閉塞した直管２を設け、更にその外径を超える内径のソケット３を設け、導管フランジ部１Ａとソケット３とに相陥合するねじ機構を設ける。この時、該開口部２Ｃは、管内の水が抵抗無く流れるよう、その面積が直管２の内側断面積とほぼ等しいものとするのが望ましい。
【００１１】
次に、直管２の後端側にソケット３の内径を超える外径の直管フランジ部２Ａを設け、それをソケット３と導管フランジ部１Ａとで挟んでねじ力で締結または弛緩することにより、直管２を角度自在に導管１へ着脱できるようにする。ここで、導管１と直管２の接続様式については、両フランジ部１Ａ及び２Ａとソケット３だけで直管２を保持させる構造とすることもできるが、図３に示すように、直管フランジ部２Ａより後端側に直管２を更に突出させて導管１との嵌り部を設ける構造とすれば、回転時の抵抗が大きくなる不利はあるものの、接続の確実性を改善することができる。尚、両フランジ部１Ａ及び２Ａの間にガスケットを挟めばより一層漏れ防止できるが、両者はソケット３により堅く密接されるため、実用上その必要はない。
【００１２】
次に、既設用水路壁６の水田への開口部、または既設用水路内に、調整最高水位以上の高さのコンクリート壁５を打設し、導管フランジ部１Ａを水田側に向けて突き出した状態で、コンクリート壁５内部に導管１の一部を埋め込み恒久固定する。コンクリート壁５を設けるためには、コンクリート打設前に型枠を設置しなければならない。この時、用水路側は導管１の余長を予めコンクリート壁５の厚さに合わせて切断するため、単なる平板で型枠を構成すれば良い。一方、水田側は導管１を突出させるため、通常は円形にくり抜いた平板が必要となる。しかし、本発明では導管１が矩形板４を具備するため、これが型枠の一部ともなり、矩形板４よりやや小さい角孔を型枠用平板に設けるだけで良い。この角孔はその平板を上下２段に分割することによって、一般農家でも直線鋸だけで容易に設けることができる。尚、この矩形版４は導管１とは別体とし、現場で組み立てるようにしても良いし、または予め導管１と一体として製造しても良い。
【００１３】
本発明装置は給排水兼用とすることができるが、給水専用として用いる場合を除き、排水し易くするため、コンクリート壁５の底面及び直管２の下面は当然水田の床面より低くする必要がある。ここで、単に堰前面付近の土を削って低くするやり方では、日時の経過とともに土が運ばれ、直管２の一部が埋没する可能性がある。そのため、図２及び図３に示したように、堰前面はブロック８または合成樹脂板等により囲って段差を設け、土による埋没を防止するのが望ましい。
【００１４】
本発明装置では、給水する時は当然開口部２Ｃを用水路水面より低く設定するから、用水路の水面より下の水を流入させ、浮遊物は用水路の堰板Ａを越えて流出し、水田へは侵入し難くなるという効果がある。また、装置の休止期間中は管内部への異物の侵入を防ぐため、図３に示すように導管１には蓋７を施すことが望ましいが、必須要件ではない。尚、本装置でもコンクリート壁５を除く全ての材料は比較的硬質の合成樹脂製とするのが最適であり、従い、装置寿命を極めて長いものとすることができる。
【００１５】
このようにしたから、本発明装置は水路内のような狭隘な設置スペースでも適用でき、高価な装置を使うことなく、水田の水位を任意に調整することができる。作業中、狙いの水位より開口部２Ｃを下げれば給排水量が増えるので、給排水の緩急をも調整できる。そして、ソケット３とコンクリート壁５による堅固な接続の効果により、ガスケットを装備することなく堰周辺からの水漏れを十分防止することができる。更に、簡素な構造であるため安価で、かつ、劣化し難い構成部材のため長寿命な装置一式を提供できる。更に、コンクリート壁５の打設に当たっては、矩形板４の効果により、作業が容易である。また、本装置を給水用に用いる場合には、水田雑草を含む浮遊物の侵入を防止できる副次的利点も大きい。
【図面の簡単な説明】
【００１６】
【図１】図１は、従来行われてきた水田用堰を示す斜視図である。
【図２】図２は、本発明の水田用堰の実施例で、水田に給水している場面を示す斜視図である。
【図３】図３は、図２の堰中央に於ける断面図で、水田より排水している場面を示す。
【符号の説明】
【００１７】
１    導管
１Ａ  導管フランジ部
２    直管
２Ａ  直管フランジ部
２Ｂ  閉塞部
２Ｃ  開口部
３    ソケット
４    矩形板
５    コンクリート壁
６    既設用水路壁
７    蓋
８    ブロック
【図１】
2009131249.tif 000003
【図２】
2009131249.tif 000004
【図３】
2009131249.tif 000005
【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
イ）既設用水路から水田または別の用水路へ通ずる導管１を設け、その先端側に導管フランジ部１Ａを設け、別体で軸方向長孔状の１個の開口部２Ｃを有し、先端側が閉塞部２Ｂにより閉塞した直管２を設け、更に該直管２の外側に挿通し、両端で異なる口径のソケット３を設け、導管フランジ部１Ａとソケット３の後端側とに相陥合するねじ機構を設ける。（ロ）直管２の後端側にソケット３の先端側内径を超え、後端側内径以下の外径の直管フランジ部２Ａを設け、それをソケット３と導管フランジ部１Ａとで挟んでねじ力で締結または弛緩することにより、直管２を角度自在に導管１へ着脱できるようにする。（ハ）既設用水路壁６の水田への開口部、または既設用水路内に、調整最高水位以上の高さの固定壁５を打設し、導管フランジ部１Ａを水田側に向けて突き出した状態で、固定壁５内部に導管１の後端側部分を埋め込み固定する。以上の構成を特徴とし、手動で直管２の開口部２Ｃの角度を変えると共に、それをソケット３で固定することにより、自在に水位を調整可能とする水田用堰。
【請求項２】
導管フランジ部１Ａの後方に、導管１の外側に挿通する少なくとも１個の矩形板４を設けたことを特徴とする請求項１の水田用堰。
【手続補正２】
【補正対象書類名】明細書
【補正対象項目名】全文
【補正方法】変更
【補正の内容】
【発明の詳細な説明】
【技術分野】
【０００１】本発明は、用水路から水流を目的の水田に導いたり、過大の水量を水田より排水するに当たり、その水位を自在に調整でき、かつ、その周辺からの水漏れが無い、簡素な構造で長寿命の水田用堰に関するものである。
【背景技術】
【０００２】水田に水を供給するため、国内各地域毎に共同管理された土堀り、即ち土製の用水路が以前より設けられていたものが、近年では逐次そのコンクリート化が進んでいる。用水路が分岐した先の水路は樋と呼ばれることもあるが、本文では以下、これらを含めて「用水路」と記すこととする。用水路は水田からの排水の便のため、多くは水田よりやや低く作られており、給水するには従来、図１に示すように先ず共用用水路内に堰板Ａを立て、次に水田入口である用水路開口部に堰板Ａより低い高さの堰板Ｂを立てることにより、堰板Ａで水流の一部を一時的に止めて用水路内の水位を上げ、それを水田へ自然流入させるという方法が用いられている。たまたま水田が共用用水路から他の水田を挟んで離れた位置にある場合には、共用用水路から私設の用水路を分岐させ、その水路の入口付近に堰板Ｃを立てるという方法も行われている。水田より排水するには、給水を停止しさえすれば、水位は堰板Ｂまたは堰板Ｃ、またはそれらよりやや低く別に設けられた排水専用の堰板の高さに自然流出して、調整される。そして、これら堰板には殆どの場合、木板が用いられている。【０００３】  しかし、水田の水位を稲の生育や天候等の状況に応じ変更したい場合や、給排水の緩急を調整したい場合が往々にして生ずる。このような場合、それらを調整するには高さの異なる堰板を準備してそれと取り替えるか、または堰板を予め２段や３段構造にしておき、水位を下げたい時に上の段を取り外すなどしているが、所詮希望する微調整は難しいという不便があった。更に、木製の堰板は長期間水に接しているので朽ち易く、通常使用数年で更新しなければならない。また、このような堰板では周辺からの水漏れを十分防ぐことができず、堰板周りに土やビニールシートを詰めたり、土嚢を積んで漏れ防止を図るのが通例である。やや異質の問題として、従来の堰板では水田雑草を含めた浮遊物の侵入に対し、無防備なことがある。【０００４】  上記不便の全部または一部を解決するために、近年俄かに様々な商品が開発されるようになった。その一類として、太陽電池等を電源としてゲートまたはバルブを駆動し、水量を調整する装置が幾つか発明された。また、堰板に代えてＬ字形曲管を用い、これを上記同様に自動化した装置も発明された。しかし、このような複雑かつ高度な装置は当然のことながら高価なものとなり、一部の大規模水田や共同農場でない限り、一般の零細農家には如何に便利であっても、普及させることは経済的に極めて困難と思われる。一方、一端が閉塞された送水管に複数の調節孔を設け、これを回転することにより水量を調整する装置も発明されたが、比較的大きなスペースを要し、該送水管を支持するための側板孔からの水漏れや、支持部での摩擦抵抗により回転にかなりの力を要するという問題がある。【特許文献１】公開特許広報  特開平９−２３３９５９
【特許文献２】公開特許広報  特開２０００−１５７０７６
【発明の開示】
【発明が解決しようとする課題】
【０００５】  解決しようとする問題点は、水田の水位を調整するために従来用いられている堰板による方法において、水位の調整と給排水の緩急の調整が困難であること、堰板周辺からの水漏れ防止が難しいこと、堰板の寿命が使用数年と比較的短いこと、及び浮遊物の侵入に対して無防備であること、そしてこれらの問題を最少限の装置スペースで、安価に、かつ、容易な操作でできるよう、解決することである。 
【課題を解決するための手段】
【０００６】  請求項１の発明は、先端側（何れの管端かを区別するために、本書では、水田側を「先端側」、用水路側を「後端側」と称する）が閉塞し、かつ、軸方向長孔状の１個の開口部を有する、水田に給排水するための直管を設け、この直管を手動で自在に回転させることによって水田の任意の水位調整ができるようにしたこと、用水路から水田に通ずる導管と該直管の接続部にフランジ及び両端が異口径のソケットを設け、該ソケットと導管フランジ部とのねじ力で直管フランジ部を挟み保持することにより、直管の手動による回転及び堅固な固定を容易としたこと、導管の一部は用水路の開口部に設けた土製またはコンクリート製の固定壁（以下、両者を含めて「固定壁」と記す）内に埋設して固定すること、を最も主要な特徴とする。【０００７】請求項２の発明は、請求項１の発明に対し、導管フランジ部の後方に、導管の外側に挿通する少なくとも１個の矩形板を設けたこと、を特徴とする。
【発明の効果】
【０００８】  請求項１の発明に掛かる水田用堰は、給水専用または排水専用としてだけでなく、給排水兼用としても使え、次のような効果を有する。（１）直管の直径の範囲内で水田水位と給排水緩急の無段階調整が可能である。（２）必要とする設置スペースが狭く、狭隘な水路内への設置も可能とする。（３）装置のどの部分にもガスケットを用いることなく、水漏れを十分防ぐことができる。（４）操作が容易であり、作業を軽減できる。（５）制御装置も無い簡素な構造であるため、低価格で装置一式を提供できる。（６）装置寿命を極めて長いものとすることができる。（７）給水する時は、浮遊物が侵入し難くなるという副次的効果がある。【０００９】請求項２の発明に掛かる水田用堰は、固定壁をコンクリート製とする場合にその打設工事を行う際、管断面の円形状にくり抜いた型枠を必要とせず、直線鋸だけで容易に木板製型枠を準備し施工することができる。固定壁を土製とする場合は、矩形板を壁内部に埋めることにより、やや軟弱な固定壁を補強すると共に、装置をより安定化できる。
【発明を実施するための最良の形態】
【００１０】  以下、本発明の実施の形態を、添付図面に基づいて説明する。
【実施例】
【００１１】  図２は請求項２の発明装置の実施例を示す斜視図、図３は固定壁５がコンクリート製の場合、図４は固定壁５が土製の場合の、装置中央に於ける断面図である。但し、図２は水田に給水している場面を示し、図３及び図４は排水している場面を示す。請求項１の発明装置は、矩形板４のみが装備されていない場合であり、他は上記装置と共通であるので、これらの図によって、全ての実施例を以下に説明する。【００１２】  先ず、既設用水路から水田または別の用水路へ通ずる導管１を設け、その先端側に導管フランジ部１Ａを設け、別体で軸方向長孔状の１個の開口部２Ｃを有し先端側が閉塞部２Ｂにより閉塞した直管２を設け、更に該直管２の外側に挿通し、両端が異口径のソケット３を設け、導管フランジ部１Ａとソケット３の後端側とに相陥合するねじ機構を設ける。この時、導管１の口径は調整したい水位の上下差を超えるものとし、開口部２Ｃは、管内の水が抵抗無く流れるよう、その面積が直管２の内側断面積とほぼ等しいものとするのが良い。【００１３】次に、直管２の後端側にソケット３の先端側内径を超え、後端側内径以下の外径の直管フランジ部２Ａを設け、それをソケット３と導管フランジ部１Ａとで挟んでねじ力で締結または弛緩することにより、直管２を角度自在に導管１へ着脱できるようにする。ここで、導管１と直管２の接続様式については、図４に示すように、両フランジ部１Ａ及び２Ａとソケット３だけで直管２を保持させる構造とすることもできるが、図３に示すように、直管２または導管１の何れか一方を、そのフランジ部を越えて突出させ、相手フランジ部との嵌り部を設ける構造とすれば、回転時の抵抗が大きくなる不利はあるものの、接続の確実性を改善することができる。尚、両フランジ部１Ａ及び２Ａの間にガスケットを挟めばより一層漏れ防止できるが、両者はソケット３により堅く密接されるため、実用上その必要はない。【００１４】次に、既設用水路壁６の水田への開口部、または既設用水路内に、調整最高水位以上の高さで既設用水路壁６以下の高さの土製またはコンクリート製の固定壁５を打設し、導管フランジ部１Ａを水田側に向けて突き出した状態で、固定壁５内部に導管１の一部を埋め込み固定する。図３は、既設用水路壁６がコンクリート製である場合を示すが、その開口部にコンクリート製固定壁５を設けるには、打設前に型枠を設置しなければならない。この時、用水路側は導管１の余長を予め切断するため、単なる平板で型枠を構成すれば良い。一方、水田側は導管１を突出させるため、円形にくり抜いた平板が必要となる。しかし、請求項２の発明装置とすれば、導管１の外側に挿通する矩形板４を具備するため、これが型枠の一部ともなり、矩形板４よりやや小さい角孔を型枠用平板に設けるだけで良い。この角孔はその平板を上下２段に分割することによって、一般農家でも直線鋸だけで容易に設けることができる。【００１５】図４は、既設用水路壁６が土製であり、固定壁５も土製とする場合を示すが、２個の矩形板４を壁中に埋め込み、やや軟弱な固定壁５を補強すると共に、装置の安定化を図っている。尚、該矩形版４は導管１とは別体であるので、現場の状況に合わせて個数を選び、随意に導管１の軸方向に移動��て、位置を調整できる。【００１６】請求項１及び請求項２の発明装置は給排水兼用とすることができるが、給水専用として用いる場合を除き、排水し易くするため、直管２の下面は当然水田の床面より低くする必要がある。ここで、単に堰前面付近の土を削って低くするやり方では、日時の経過とともに土が運ばれ、直管２の一部が埋没する可能性がある。そのため、図２、図３及び図４に示したように、堰前面はブロック８または合成樹脂板等により囲って段差を設け、土による埋没を軽減するのが良い。【００１７】請求項１及び請求項２の発明装置では、給水する時は当然開口部２Ｃを用水路水面より低く設定するから、用水路の水面より下の水を流入させ、浮遊物は水田へは侵入し難くなるという効果がある。また、装置の休止期間中は管内への異物の侵入を防ぐため、図３及び図４に示すように導管１には蓋７を施すことが望ましいが、必須要件ではない。尚、本装置では固定壁５を除く全ての材料は比較的硬質の合成樹脂製とするのが最適であり、従い、装置寿命を極めて長いものとすることができる。【００１８】このようにしたから、請求項１の発明装置は水路内のような狭隘な設置スペースでも適用でき、高価な装置を使うことなく、水田の水位を任意に調整することができる。作業中、狙いの水位より開口部２Ｃを下げれば給排水量が増えるので、給排水の緩急をも調整できる。そして、ソケット３と固定壁５による堅固な接続の効果により、ガスケットを装備することなく堰周辺からの水漏れを十分防止することができる。本装置を設置後の操作は極めて容易な軽作業である。更に、簡素な構造であるため安価で、かつ、劣化し難い構成部材のため長寿命な装置一式を提供できる。また、本装置を給水用に用いる場合には、水田雑草を含む浮遊物の侵入を防止できる副次的利点も大きい。更に、請求項２の発明装置は、固定壁５の打設に当たってコンクリート製の場合は作業を容易とし、土製の場合は固定壁５が補強されると共に、装置を安定化できる。
【図面の簡単な説明】
【００１９】
【図１】図１は、従来行われてきた水田用堰を示す斜視図である。
【図２】図２は、請求項２の発明に掛かる装置の実施例で、水田に給水している場面を示す斜視図である。
【図３】図３は、固定壁５がコンクリート製の場合の、図２の装置中央に於ける断面図で、水田より排水している場面を示す。
【図４】図４は、固定壁５が土製の場合の、図２の装置中央に於ける断面図で、水田より排水している場面を示す。
【符号の説明】
【００２０】１    導管  １Ａ  導管フランジ部  ２    直管  ２Ａ  直管フランジ部  ２Ｂ  閉塞部  ２Ｃ  開口部  ３    ソケット  ４    矩形板  ５    固定壁６    既設用水路壁  ７    蓋  ８    ブロック 
【手続補正３】
【補正対象書類名】図面
【補正対象項目名】全図
【補正方法】変更
【補正の内容】
【図１】
2009131249.tif 000006
【図２】
2009131249.tif 000007
【図３】
2009131249.tif 000008
【図４】
2009131249.tif 000009